【手続補正書】
【提出日】平成18年12月26日(2006.12.26)
【手続補正１】
【補正対象書類名】明細書
【補正対象項目名】特許請求の範囲
【補正方法】変更
【補正の内容】
【特許請求の範囲】
【請求項１】
光通信ネットワークにおいて使用するためのＦＤＭノードであって、
第１の光学的な高速チャネルを第１の電気的な高速チャネルに変換するためのＯ／Ｅコンバータと、
前記第１電気的高速チャネルを第１の複数の低速チャネルに周波数分割デマルチプレクシングするためにＯ／Ｅコンバータに結合された周波数分割デマルチプレクサと、
複数の入力および出力を有し、第１のセットの前記入力が前記周波数分割デマルチプレクサに結合され、前記入力を前記出力に切り替え可能に結合する電気的なＡＤＭクロスポイントと、
第２の複数の低速チャネルを第２の電気的な高速チャネルに変換するために、前記ＡＤＭクロスポイントの第１のセットの前記出力に結合された周波数分割マルチプレクサと、
前記第２電気的高速チャネルを第２の光学的な高速チャネルに変換するために、前記周波数分割マルチプレクサに結合されたＥ／Ｏコンバータと、
を備えたＦＤＭノード。
【請求項２】
前記第１と第２の低速チャネルはＳＴＳプロトコルに従う、請求項１のＦＤＭノード。
【請求項３】
前記周波数分割マルチプレクサは、
前記第２の複数の低速チャネルをＱＡＭ変調するためのＱＡＭ変調器、
を含む、請求項１のＦＤＭノード。
【請求項４】
前記周波数分割マルチプレクサは、
複数のＩＦチャネルを複数のＲＦチャネルに周波数分割マルチプレクシングするために、前記ＡＤＭクロスポイントの前記第１のセットの出力に結合されたＩＦアップコンバータであって、前記複数のＩＦチャネルが前記第２の複数の低速チャネルに基づく、ＩＦアップコンバータと、
前記複数のＲＦチャネルを、前記第２電気的高速チャネルに周波数分割マルチプレクシングするために、前記ＩＦアップコンバータに結合されたＲＦアップコンバータと、
を含む、請求項１のＦＤＭノード。
【請求項５】
前記周波数分割マルチプレクサは、
前記第２の低速チャネルの各々の振幅を独立して調節するための複数の可変利得ブロック、
を含む、請求項１のＦＤＭノード。
【請求項６】
前記周波数分割マルチプレクサは、前記第２の低速チャネルを前記第２電気的高速チャネルに周波数マッピングに従って変換し、前記周波数マッピングにおいては、各低速チャネルが前記第２電気的高速チャネル内の特定の周波数帯を割り付けられ、かつ前記周波数帯がすべて隣接しない、請求項１のＦＤＭノード。
【請求項７】
前記周波数分割マルチプレクサは、前記第２の低速チャネルを前記第２電気的高速チャネルに周波数マッピングに従って変換し、前記周波数マッピングにおいては、各低速チャネルが前記第２電気的高速チャネル内の特定の周波数帯を割り付けられ、かつ低速チャネルの数が前記第２電気的高速チャネル内の周波数帯の数を変えることにより変更可能である、請求項１のＦＤＭノード。
【請求項８】
前記周波数分割マルチプレクサは、前記第２の低速チャネルの各々に変調を適用するための変調器を含み、該変調が第２の低速チャネルの各々に独立して選択可能である、請求項１のＦＤＭノード。
【請求項９】
前記第２光学的高速チャネルは１．３ミクロンの領域内の波長によって特徴づけられる、請求項１のＦＤＭノード。
【請求項１０】
前記第２光学的高速チャネルは１．５５ミクロンの領域内の波長によって特徴づけられる、請求項１のＦＤＭノード。
【請求項１１】
前記第２光学的高速チャネルを、他の波長の他の光学的な高速チャネルと組み合わせるために、前記Ｅ／Ｏコンバータに結合された波長分割マルチプレクサをさらに含む、請求項１のＦＤＭノード。
【請求項１２】
前記ＡＤＭクロスポイントは、さらに、任意の入力を任意の出力に切り替え可能に結合するためのものである、請求項１のＦＤＭノード。
【請求項１３】
前記ＡＤＭクロスポイントは非ブロッキングである、請求項１のＦＤＭノード。
【請求項１４】
低速の入力コンバータであって、該コンバータが受けたトリビュタリを低速チャネルへ変換するために、前記ＡＤＭクロスポイントへの第２のセットの入力に結合され低速の入力コンバータをさらに含む、請求項１のＦＤＭノード。
【請求項１５】
前記トリビュタリは少なくとも２つの異なるデータレートによって特徴づけられる、請求項１４のＦＤＭノード。
【請求項１６】  
前記トリビュタリは少なくとも２つの異なる通信プロトコルによって特徴づけられる、請求項１４のＦＤＭノード。
【請求項１７】
複数の低速チャネルを複数のＦＤＭチャネルにＱＡＭ変調するためのＱＡＭ変調器であって、前記低速チャネルの少なくとも１つが毎秒１億ビットを越えるデータレートによって特徴づけられた、ＱＡＭ変調器と、
前記ＦＤＭチャネルを電気的な高速チャネルに変換するために、前記ＱＡＭ変調器に結合された周波数分割マルチプレクサと、
前記電気的高速チャネルを光学的な高速チャネルに変換するために、前記周波数分割マルチプレクサに結合されたＥ／Ｏコンバータと、
を備えた光通信ネットワークで使用するためのＦＤＭノード。
【請求項１８】
前記低速チャネルはＳＴＳプロトコルに従う、請求項１７のＦＤＭノード。
【請求項１９】
順方向エラー訂正コードを前記低速チャネルへ適用するために、前記ＱＡＭ変調器に結合された順方向エラー訂正エンコーダをさらに含む、請求項１７のＦＤＭノード。
【請求項２０】
前記光学的な高速チャネルを、他の波長の他の光学的な高速チャネルと組み合わせるために、前記Ｅ／Ｏコンバータに結合された波長分割マルチプレクサをさらに含む、請求項１７のＦＤＭノード。
【請求項２１】
前記低速の入力コンバータであって、該コンバータが受けたトリビュタリを前記低速チャネルへ変換するために、前記ＱＡＭ変調器に結合された低速の入力コンバータをさらに含む、請求項１７のＦＤＭノード。
【請求項２２】
前記トリビュタリは少なくとも２つの異なるデータレートによって特徴づけられる、請求項２１のＦＤＭノード。
【請求項２３】
前記トリビュタリは少なくとも２つの異なる通信プロトコルによって特徴づけられる、請求項２１のＦＤＭノード。
【請求項２４】
光学的な高速チャネルを電気的な高速チャネルに変換するためのＯ／Ｅコンバータと、
前記電気的な高速チャネルを複数のＦＤＭチャネルに周波数分割デマルチプレクシングするために、Ｏ／Ｅコンバータに結合された周波数分割デマルチプレクサと、
前記ＦＤＭチャネルを複数の低速チャネルにＱＡＭ復調するために、前記周波数分割デマルチプレクサに結合されたＱＡＭ復調器であって、前記低速チャネルの少なくとも１つが毎秒１億ビットを越えるデータレートによって特徴づけられた、ＱＡＭ復調器と、
を備えた光通信ネットワークで使用するためのＦＤＭノード。
【請求項２５】
前記低速チャネルはＳＴＳプロトコルに従う、請求項２４のＦＤＭノード。
【請求項２６】
複数の光学的な高速チャネルを含むマルチ波長の光学的なチャネルから、前記光学的高速チャネルを分離するために、前記Ｅ／Ｏコンバータに結合された波長分割デマルチプレクサをさらに含む、請求項２４のＦＤＭノード。
【請求項２７】
前記低速チャネルをトリビュタリに変換するために、前記ＱＡＭ復調器に結合された低速の出力コンバータをさらに含む、請求項２４のＦＤＭノード。
【請求項２８】
前記トリビュタリは少なくとも２つの異なるデータレートによって特徴づけられる請求項２７のＦＤＭノード。
【請求項２９】
前記トリビュタリは少なくとも２つの異なる通信プロトコルによって特徴づけられる、請求項２７のＦＤＭノード。
【請求項３０】
光通信ネットワークにおいて、データを伝送する方法であって、
第１の光学的な高速チャネルを受けるステップと、
前記第１光学的高速チャネルを第１の電気的な高速チャネルに変換するステップと、
前記第１電気的高速チャネルを複数の第１の低速チャネルに周波数分割デマルチプレクシングするステップであって、前記第１低速チャネルが第２の光学的な高速チャネルを通り抜ける、ステップと、
前記第１低速チャネルを、第２の低速チャネルに切り替え可能に結合するステップと、
第２の電気的な高速チャネルを生成するために、前記第２低速チャネルを周波数分割マルチプレクシングするステップと、
前記第２電気的高速チャネルを第２の光学的な高速チャネルに変換するステップと、
を含む方法。
【請求項３１】
前記第１と第２の低速チャネルはＳＴＳプロトコルに従う、請求項３０の方法。
【請求項３２】
前記周波数分割マルチプレクシングするステップは、前記第２低速チャネルをＱＡＭ変調することを含む、請求項３０の方法。
【請求項３３】
前記周波数分割マルチプレクシングするステップは、
複数のＩＦチャネルを複数のＲＦチャネルに周波数分割マルチプレクシングするステップであって、前記ＩＦチャネルが前記第２低速チャネルに基づく、ステップと、
前記複数のＲＦチャネルを、前記第２電気的高速チャネルに周波数分割マルチプレクシングするステップと、
を含む請求項３０の方法。
【請求項３４】
前記周波数分割マルチプレクシングするステップは、
前記第２低速チャネルの各々の振幅を独立して調節するステップ、
を含む請求項３０の方法。
【請求項３５】
前記周波数分割マルチプレクシングするステップは、
前記第２低速チャネルを前記第２電気的高速チャネルへ周波数マッピングに従って周波数分割マルチプレクシングするステップであって、前記周波数マッピングにおいては、各低速チャネルが前記第２電気的高速チャネル内の特定の周波数帯を割り付けられ、かつ前記周波数帯のすべてが隣接しているわけではない、ステップ、
を含む請求項３０の方法。
【請求項３６】
前記周波数分割マルチプレクシングするステップは、
前記第２低速チャネルを前記第２電気的高速チャネルへ周波数マッピングに従って周波数分割マルチプレクシングするステップであって、前記周波数マッピングにおいては、各低速チャネルが前記第２電気的高速チャネル内の特定の周波数帯を割り付けられる、ステップと、
低速チャネルの数における変化に応答して、前記第２電気的高速チャネル内の周波数帯の数を変更するステップと、
を含む請求項３０の方法。
【請求項３７】
前記周波数分割マルチプレクシングするステップは、
前記第２低速チャネルの各々に対して独立して選択可能な変調を、前記第２低速チャネルの各々に適用するステップ、
を含む請求項３０の方法。
【請求項３８】
前記第２光学的高速チャネルは１．３ミクロンの領域内の波長によって特徴づけられる請求項３０の方法。
【請求項３９】
前記第２光学的高速チャネルは１．５５ミクロンの領域内の波長によって特徴づけられる請求項３０の方法。
【請求項４０】
マルチ波長の光学的なチャネルを形成するために、前記第２光学的高速チャネルを他の光学的な高速チャネルと波長分割マルチプレクシングするステップをさらに含む、請求項３０の方法。
【請求項４１】
前記の第１の低速チャネルを第２の低速チャネルに切り替え可能に結合するステップは、任意の第１の低速チャネルを、任意の第２の低速チャネルに切り替え可能に結合するステップを含む、請求項３０の方法。
【請求項４２】
前記の第１の低速チャネルを第２の低速チャネルに切り替え可能に結合するステップは、
多数の第１の低速チャネルを、一つの第２の低速チャネルに切り替え可能に結合するステップと、
単一の第１の低速チャネルを、多数の第２の低速チャネルに切り替え可能に結合するステップと、
から成るグループのうちの少なくとも１つのステップを含む、請求項３０の方法。
【請求項４３】
前記第２光学的高速チャネルへ加えられる複数のトリビュタリを受け取るステップと、
前記トリビュタリを第３の低速チャネルに変換するステップと、
前記第３低速チャネルを前記第２低速チャネルに切り替え可能に結合するステップと、
をさらに含む請求項３０の方法。
【請求項４４】
前記トリビュタリは少なくとも２つの異なるデータレートによって特徴づけられる、請求項４３の方法。
【請求項４５】
前記トリビュタリは少なくとも２つの異なる通信プロトコルによって特徴づけられる、請求項４３の方法。
【請求項４６】
光通信ネットワークにおいて、データを送信する方法であって、
複数の低速チャネルを受けるステップと、
前記低速チャネルを複数のＦＤＭチャネルにＱＡＭ変調するステップであって、少なくとも１つの低速チャネルが毎秒１億ビットを越えるデータレートによって特徴づけられた、ステップと、
前記ＦＤＭチャネルを電気的な高速チャネルへ周波数分割マルチプレクシングするステップと、
前記電気的高速チャネルを光学的な高速チャネルに変換するステップと、
を含む。
【請求項４７】
前記低速チャネルはＳＴＳプロトコルに従う、請求項４６の方法。
【請求項４８】
順方向エラー訂正コードを前記低速チャネルへ適用するステップをさらに含む、請求項４６の方法。
【請求項４９】
マルチ波長の光学的なチャネルを形成するために、前記光学的高速チャネルを他の光学的な高速チャネルと波長分割マルチプレクシングするステップをさらに含む、請求項４６の方法。
【請求項５０】
複数のトリビュタリを受けるステップと、
前記トリビュタリを前記低速チャネルに変換するステップと、
をさらに含む請求項４６の方法。
【請求項５１】
前記トリビュタリは少なくとも２つの異なるデータレートによって特徴づけられる、請求項５０の方法。
【請求項５２】
前記トリビュタリは少なくとも２つの異なる通信プロトコルによって特徴づけられる、請求項５０の方法。
【請求項５３】
光通信ネットワークにおいて、データを受信する方法であって、
光学的な高速チャネルを受けるステップと、
前記光学的高速チャネルを電気的な高速チャネルに変換するステップと、
前記電気的高速チャネルを複数のＦＤＭチャネルに周波数分割デマルチプレクシングするステップと、
前記ＦＤＭチャネルを複数の低速チャネルにＱＡＭ復調するステップであって、少なくとも１つの低速チャネルが毎秒１億ビットを越えるデータレートによって特徴づけられた、ステップと、
を含む方法。
【請求項５４】
前記低速チャネルはＳＴＳプロトコルに従う、請求項５３の方法。
【請求項５５】
マルチ波長の光学的なチャネルを受けるステップと、
前記マルチ波長光学的チャネルを、複数の光学的な高速チャネルへ波長分割デマルチプレクシングするステップと、
をさらに含む請求項５３の方法。
【請求項５６】
前記低速チャネルをトリビュタリに変換するステップをさらに含む、請求項５３の方法。
【請求項５７】
前記トリビュタリは少なくとも２つの異なるデータレートによって特徴づけられる、請求項５６の方法。
【請求項５８】
前記トリビュタリは少なくとも２つの異なる通信プロトコルによって特徴づけられる、請求項５６の方法。